(57)【要約】【課題】コーヒー豆粉砕時の振動と騒音を低減したコーヒー沸かし器を提供する。【解決手段】コーヒー豆（図示せず）を収納するコーヒー豆収納室１５と、電動機１９により回転駆動されるカッター１８を内蔵するコーヒー豆粉砕室１６と、前記電動機１９の回転速度を変更できる出力制御手段２３とを備えたもので、例えば、粉砕開始時に電動機１９の回転速度を下げてカッター１８の回転数を低く抑えるようにすれば、最初のコーヒー豆の粉砕音を低く抑え、次第に回転数を上げることで、電動機１９のトルク不足によるカッター１８の拘束による未粉砕を防ぐ事ができる、騒音の少ないコーヒー沸かし器を提供することができる。【選択図】図２
2008000256.tif 000002
【特許請求の範囲】
【請求項１】
コーヒー豆を収納するコーヒー豆収納室と、電動機により回転駆動されるカッターを内蔵するコーヒー豆粉砕室と、前記電動機の回転速度を変更できる出力制御手段とを備えたコーヒー沸かし器。
【請求項２】
コーヒー豆収納室とコーヒー豆粉砕室の間に開閉自在の蓋体を設けた請求項１に記載のコーヒー沸かし器。
【請求項３】
コーヒー豆収納室から供給されるコーヒー豆を、カッターの外周部に導くようにした請求項１又は２に記載のコーヒー沸かし器。
【請求項４】
コーヒー豆粉砕室の外部にウレタンなどの吸音材を配した請求項１〜３のいずれか１項に記載のコーヒー沸かし器。
【請求項５】
電動機を防振材で保持するようにした請求項１〜４のいずれか１項に記載のコーヒー沸かし器。
【発明の詳細な説明】
【技術分野】
【０００１】
本発明は、コーヒー沸かし器に関するもので、特に、コーヒー豆粉砕装置付のコーヒー沸かし器に関するものである。
【背景技術】
【０００２】
従来のこの種のコーヒー沸かし器のコーヒー豆粉砕方法としては、本体内部に設けられたコーヒー豆収納室にコーヒー豆を入れ、コーヒー豆収納室と連通したコーヒー豆粉砕室の内部に設けられ、電動機により駆動されるカッターによりコーヒー豆を叩いて粉砕するようにしていた（例えば、特許文献１参照）。
【０００３】
図３は、上記特許文献１に記載された従来のコーヒー沸かし器の断面図である。図３に示すように、従来のコーヒー沸かし器は、本体１と、コーヒー豆収納室２と、コーヒー豆粉砕室３と、コーヒー豆を粉砕するカッター４と、カッター４を回転駆動する電動機５により構成されている。
【特許文献１】特開２００１−３１４３２５号公報
【発明の開示】
【発明が解決しようとする課題】
【０００４】
しかしながら、前記従来のコーヒー沸かし器の構成では、コーヒー豆収納室２からコーヒー豆粉砕室３に供給されたコーヒー豆を、カッター４が高速で回転してコーヒー豆を叩いて砕くため、粉砕開始時の粉砕音が大きく、早朝や深夜ではうるさくて使い難いという問題があった。
【０００５】
本発明は、前記従来の課題を解決するもので、粉砕音などの騒音の少ないコーヒー沸かし器を提供することを目的とする。
【課題を解決するための手段】
【０００６】
前記従来の課題を解決するため、本発明のコーヒー沸かし器は、コーヒー豆を収納するコーヒー豆収納室と、電動機により回転駆動されるカッターを内蔵するコーヒー豆粉砕室と、前記電動機の回転速度を変更できる出力制御手段とを備えたもので、例えば、粉砕開始時に電動機の回転速度を下げてカッターの回転数を低く抑えるようにすれば、最初のコーヒー豆の粉砕音を低く抑え、次第に回転数を上げることで、電動機のトルク不足によるカッターの拘束による未粉砕を防ぐ事ができる、騒音の少ないコーヒー沸かし器を提供することができる。
【発明の効果】
【０００７】
本発明のコーヒー沸かし器は、コーヒー豆粉砕時の粉砕音などの騒音を低減する事ができる。
【発明を実施するための最良の形態】
【０００８】
第１の発明は、コーヒー豆を収納するコーヒー豆収納室と、電動機により回転駆動されるカッターを内蔵するコーヒー豆粉砕室と、前記電動機の回転速度を変更できる出力制御手段とを備えたもので、例えば、粉砕開始時に電動機の回転速度を下げてカッターの回転数を低く抑えるようにすれば、最初のコーヒー豆の粉砕音を低く抑え、次第に回転数を上げることで、電動機のトルク不足によるカッターの拘束による未粉砕を防ぐ事ができる、騒音の少ないコーヒー沸かし器を提供することができる。
【０００９】
第２の発明は、特に、第１の発明のコーヒー豆収納室とコーヒー豆粉砕室の間に開閉自在の蓋体を設けたもので、コーヒー粉砕室内部のカッターをより低速で回転させた後に蓋体を開くようにすれば、より少ない粉砕音でコーヒー豆を確実に粉砕する事ができる。
【００１０】
第３の発明は、特に、第１又は第２の発明のコーヒー豆収納室から供給されるコーヒー豆を、カッターの外周部に導くようにしたもので、より少ないトルクでコーヒー豆の粉砕が可能となるので、カッターをより低速で回転させることができ、より少ない粉砕音でコーヒー豆を粉砕する事ができる。
【００１１】
第４の発明は、特に、第１〜３のいずれか一つの発明のコーヒー豆粉砕室の外部にウレタンなどの吸音材を配したもので、カッターより発生する粉砕音をより低減する事ができる。
【００１２】
第５の発明は、特に、第１〜４のいずれか一つの発明の電動機を防振材で保持するようにしたもので、電動機の始動時に発生する振動から発する騒音や、カッターの外周部にコーヒー豆が当たるときに生じる電動機の振動を抑える事ができるので、騒音と振動を抑える事ができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるコーヒー沸かし器の外観斜視図、図２は、同コーヒー沸かし器の断面図である。
【００１５】
図１、２において、本体１１は、上部の内部にコーヒー豆粉砕室１６を有し、コーヒー豆収納室１５の投入口蓋１２を開ける事でコーヒー豆を投入することができる。本体１１は、さらに、水を収納する水容器１３と、抽出されたコーヒー液を受け、保管するコーヒー保管容器１４を有している。
【００１６】
コーヒー豆収納室１５とコーヒー豆粉砕室１６の間には、ソレノイドなどの開閉手段２０により開閉自在の蓋体１７が設けられている。コーヒー豆粉砕室１６の内部にはカッター１８が電動機１９により駆動されるように設けられている。
【００１７】
蓋体１７が開いたときに形成される開口部（図示せず）は、カッター１８の外周部にコーヒー豆が流入するように配置されている。コーヒー豆粉砕室１６の外部にはウレタンなどからなる吸音材２１が設けられている。また電動機１９は、ゴムなどの防振材２２で保持されており、振動やそれにより発生する騒音を減少させるように構成されている。また電動機１９の出力を調整する出力制御手段２３が本体１１の内部に設けられている。
【００１８】
コーヒー豆粉砕室１６の底部でカッター１８の下側には所定の微細孔を全面に形成したメッシュフィルター２４が配置され、粉砕されたコーヒー粉がコーヒー抽出室２５に導入されるように構成されている。コーヒー抽出室２５の上部には、加熱手段２６により水容器１３の水を湯に変えて吐出する給湯口２７があり、抽出されたコーヒー液はコーヒー保管容器１４に貯えられるように設けられている。
【００１９】
以上のように構成されたコーヒー沸かし器について、以下その動作、作用を説明する。
【００２０】
まず、投入口蓋１２を開けてコーヒー豆収納室１５にコーヒー豆を投入し、水容器１３に水を入れて本体１１にセットし、コーヒー沸かし器のスイッチ（図示せず）を入れる。
【００２１】
出力制御手段２３により低速で電動機１９は始動し、カッター１８は、ゆっくりと静かに回転を始める。電動機１９の振動から発生する騒音は、電動機１９を保持する防振材２２で防止される。カッター１８の回転が所定の出力になったところで開閉手段２０によりコーヒー豆収納室１５の下部の蓋体１７が開き、コーヒー豆をコーヒー豆粉砕室１６内部のカッター１８の外周部に導入する。カッター１８やコーヒー豆粉砕室１６に叩きつけられて発生する騒音は、コーヒー豆粉砕室１６の外部に取り付けられた吸音材２１により減衰される。
【００２２】
カッター１８により粉砕されたコーヒー豆はメッシュフィルター２４を通過してコーヒー抽出室２５に導入される。タイマー（図示せず）でコーヒー豆の粉砕が終わる時間が経過すると、加熱手段２６により水容器１３からの水が加熱され、熱湯が給湯口２７からコーヒー抽出室２５に注がれ、抽出されたコーヒー液がコーヒー保管容器１４に貯えられる。
【００２３】
以上のように、本実施の形態によれば、出力制御手段２３でカッター１８の回転速度を自在に変更できるので、振動や騒音を低減する事ができる。
【００２４】
また、開閉自在の蓋体１７を設けて、カッター１８の外周部にコーヒー豆を流入させることにより、カッター１８をより低速で回転させることができ、振動や騒音を低減する事ができる。
【００２５】
また、コーヒー豆粉砕室１６に吸音材２１を取り付けたり、電動機１９を防振材２２で保持する事により、振動や騒音を大幅に低減する事ができる。
【産業上の利用可能性】
【００２６】
以上のように、本発明にかかるコーヒー沸かし器は、電動機の出力を低減して振動や騒音を抑える構成なので、ジューサーなどの用途にも適用できる。
【図面の簡単な説明】
【００２７】
【図１】本発明の実施の形態１におけるコーヒー沸かし器の外観斜視図
【図２】同コーヒー沸かし器の断面図
【図３】従来のコーヒー沸かし器の断面図
【符号の説明】
【００２８】
１５  コーヒー豆収納室
１６  コーヒー豆粉砕室
１７  蓋体
１８  カッター
１９  電動機
２１  吸音材
２２  防振材
２３  出力制御手段
【図１】
2008000256.tif 000003
【図２】
2008000256.tif 000004
【図３】
2008000256.tif 000005